(57)【要約】【課題】循環水中に含まれる非溶解物などの不純物を濾材によって除去する濾過システムにおいて、循環水の水質を維持する。【解決手段】水使用部２の水を循環させる循環ライン３に、循環水中に含まれる不純物を濾材によって除去する濾過手段４を設けた濾過システム１の運転方法であって、水質検出手段１９によって循環水の濁度または色度を検出し、この検出値に基づいて、制御手段２１が被処理水供給ポンプ７の回転数を制御して循環流量を増加させることを特徴とする。【選択図】図１
2007313469.tif 000002
【特許請求の範囲】
【請求項１】
水使用部の水を循環させる循環ラインに、循環水中に含まれる不純物を濾材によって除去する濾過手段を設けた濾過システムの運転方法であって、
循環水の濁度または色度を検出し、この検出値に基づいて、循環流量を増加させることを特徴とする濾過システムの運転方法。
【請求項２】
水使用部の水を循環させる循環ラインに、循環水中に含まれる不純物を濾材によって除去する濾過手段を設けた濾過システムの運転方法であって、
循環水の濁度または色度を検出し、この検出値に基づいて、所定の循環水の水質を維持することができる範囲で循環流量を減少させることを特徴とする濾過システムの運転方法。
【発明の詳細な説明】
【技術分野】
【０００１】
この発明は、循環水中に含まれる非溶解物などの不純物を濾材によって除去する濾過システムの運転方法に関する。
【背景技術】
【０００２】
水中に含まれる非溶解物などの不純物を濾材によって除去する濾過システムとして、プールあるいは浴場などの水使用部で使用される水を循環させて、ゴミなどを除去する循環型の濾過システムが知られている（たとえば、特許文献１参照）。この循環型の濾過システムは、前記水使用部の水を循環させる循環ラインに濾過手段を設けて構成されており、前記水使用部の水を循環させることにより、この循環水に含まれるゴミなどを前記濾過手段で捕捉して除去し、前記水使用部の水質維持を図っている。
【特許文献１】特開平１１−７６７０８号公報
【発明の開示】
【発明が解決しようとする課題】
【０００３】
ところで、従来の濾過システムでは、循環水中に含まれるゴミなどの量に拘わらず、循環流量が一定に設定されており、単位時間あたりに循環水が前記濾過手段を通過する回数（すなわち、［循環流量］／［系内の循環水の総量］）が一定となっている。したがって、循環水中に含まれるゴミなどの量が多いときには、濾過が追いつかず、前記水使用部での水質が悪化するおそれがある。一方で、循環水中に含まれるゴミなどの量が少ないときには、必要以上に循環水を濾過することとなり、前記濾過手段へ循環水を被処理水として供給するポンプにおいて無駄な電力が消費されている。
【０００４】
この発明は、このような事情に鑑みてなされたものであり、その解決しようとする第一の課題は、循環水中に含まれる非溶解物などの不純物を濾材によって除去する濾過システムにおいて、循環水の水質を維持することである。
【０００５】
また、この発明が解決しようとする第二の課題は、循環水中に含まれる非溶解物などの不純物を濾材によって除去する濾過システムにおいて、循環水の水質を維持しつつ、運転コストを下げることである。
【課題を解決するための手段】
【０００６】
この発明は、前記課題を解決するためになされたもので、請求項１に記載の発明は、水使用部の水を循環させる循環ラインに、循環水中に含まれる不純物を濾材によって除去する濾過手段を設けた濾過システムの運転方法であって、循環水の濁度または色度を検出し、この検出値に基づいて、循環流量を増加させることを特徴とする。
【０００７】
さらに、請求項２に記載の発明は、水使用部の水を循環させる循環ラインに、循環水中に含まれる不純物を濾材によって除去する濾過手段を設けた濾過システムの運転方法であって、循環水の濁度または色度を検出し、この検出値に基づいて、所定の循環水の水質を維持することができる範囲で循環流量を減少させることを特徴とする。
【発明の効果】
【０００８】
請求項１に記載の発明によれば、循環水の濁度または色度の検出値に基づいて循環流量を増加させることにより、単位時間あたりに循環水が前記濾過手段を通過する回数が増加する。これにより、ゴミなどの不純物の除去量が増加し、短時間で循環水の水質を回復させることができ、水質の維持を図ることができる。
【０００９】
請求項２に記載の発明によれば、循環水の濁度または色度の検出値に基づいて、所定の循環水の水質を維持することができる範囲で循環流量を減少させることにより、前記濾過手段へ循環水を被処理水として供給するポンプにおいて無駄な電力を消費することはない。これにより、循環水の水質を維持しつつ、運転コストを下げることができる。
【発明を実施するための最良の形態】
【００１０】
つぎに、この発明の実施の形態について図面に基づいて詳細に説明する。図１は、この発明を実施するための濾過システムの構成の一例を示す概略的な説明図である。
【００１１】
図１に示す濾過システム１は、プールまたは浴場などの水使用部２の水を循環させて濾過を行う循環型の濾過システムである。この濾過システム１は、前記水使用部２の水を循環させる循環ライン３と、この循環ライン３に設けられた濾過手段４とを備えている。
【００１２】
前記循環ライン３は、前記水使用部２の水を前記濾過手段４へ被処理水として供給する被処理水ライン５と、前記濾過手段４からの処理水を前記水使用部２へ供給する処理水ライン６とで構成されている。
【００１３】
前記被処理水ライン５には、被処理水供給ポンプ７が設けられている。また、この被処理水供給ポンプ７の下流側の前記被処理水ライン５には、薬注手段として殺菌剤添加手段８および凝集剤添加手段９が接続されている。
【００１４】
前記殺菌剤添加手段８は、殺菌剤供給ライン１０を介して前記被処理水ライン５と接続された殺菌剤貯留部１１を備えている。この殺菌剤貯留部１１内には、殺菌剤（たとえば、次亜塩素酸ナトリウム）が貯留されており、この殺菌剤は、前記殺菌剤供給ライン１０に設けられた殺菌剤供給ポンプ１２によって、前記被処理水ライン５へ添加されるようになっている。
【００１５】
前記凝集剤添加手段９は、凝集剤供給ライン１３を介して前記被処理水ライン５と接続された凝集剤貯留部１４を備えている。この凝集剤貯留部１４内には、凝集剤（たとえば、ポリ塩化アルミニウム）が貯留されており、この凝集剤は、前記凝集剤供給ライン１３に設けられた凝集剤供給ポンプ１５によって、前記被処理水ライン５へ添加されるようになっている。
【００１６】
前記濾過手段４は、循環水中に含まれるゴミなどの非溶解物を除去するものであり、アンスラサイト，濾過砂などの濾材（図示省略）によって濾過を行う塔式の濾過部１６と、この濾過部１６の通水作動と再生作動とを切り替えるコントロールバルブ１７とを備えている。
【００１７】
前記コントロールバルブ１７には、前記被処理水ライン５と前記処理水ライン６とが接続されており、前記被処理水ライン５からの被処理水が前記コントロールバルブ１７を介して前記濾過部１６へ流入し、また前記濾過部１６を通過した処理水が前記コントロールバルブ１７を介して前記処理水ライン６へ流出するようになっている。
【００１８】
また、前記殺菌剤添加手段８および前記凝集剤添加手段９の下流側の前記被処理水ライン５には、試料水導入ライン１８を介して水質検出手段１９が接続されている。この水質検出手段１９は、被処理水の濁度または色度を検出するものであり、たとえば特願２００５−３４７４０５号に記載された光学計測装置である。この光学計測装置は、その詳細構成については図示省略するが、測定セルに設けられた測定室内の試料水へ発光素子からの光を第一導光部を通じて照射するとともに、試料水からの光を第二導光部を通じて受光素子で検出する光学計測装置であって、前記測定セルに形成され、前記試料水導入ライン１８から流入した試料水を前記測定室へ導入し，あるいは前記測定室から導出する流路部と、前記測定セルに装着され、前記流路部を開閉する流通制御部と、前記測定セルと接続され、前記測定室と連通するフィルタ部とを備えて構成されている。このように構成することで、試料水の採取機構および前記各導光部における光透過窓を洗浄するための清浄水の生成機構が一体化されたコンパクトな光学計測装置を実現することができ、また清浄水の供給圧力を低下させることなく、ノズル洗浄を行うことのできる光学計測装置を実現することができるようになっている。そして、この結果、現場への取り付けやメンテナンスなどを短時間で行うことができ、さらには前記光透過窓に付着した汚れ成分を効果的に除去して所定の測定濃度を維持することができるようになっている。
【００１９】
前記被処理水供給ポンプ７，前記殺菌剤供給ポンプ１２，前記凝集剤供給ポンプ１５および前記水質検出手段１９は、それぞれ信号線２０，２０，…を介して制御手段２１と接続されている。この制御手段２１は、前記水質検出手段１９から前記信号線２０を介して入力された信号に基づいて、前記被処理水供給ポンプ７を制御するようになっている。また、前記制御手段２１は、前記殺菌剤供給ポンプ１２および前記凝集剤供給ポンプ１５を制御するようになっている。具体的な制御方法については後述する。
【００２０】
さて、前記濾過システム１では、タイマ（図示省略）によって設定された運転開始時刻になると、前記制御手段２１が前記被処理水供給ポンプ７を作動させ、前記水使用部２の水を前記被処理水ライン５を介して前記濾過手段４へ供給する。このとき、前記制御手段２１は、前記循環ライン３の循環流量が所定流量ＦＢとなるように前記被処理水供給ポンプ７の回転数を制御する。
【００２１】
また、前記制御手段２１は、前記殺菌剤供給ポンプ１２および前記凝集剤供給ポンプ１５も作動させることにより、前記殺菌剤貯留部１１内の前記殺菌剤と前記凝集剤貯留部１４内の前記凝集剤とを、前記被処理水ライン５へそれぞれ添加する。
【００２２】
そして、前記凝集剤の添加によってゴミなどが凝集した被処理水が、前記コントロールバルブ１７を介して前記濾過部１６へ流入すると、前記濾材（図示省略）によってゴミなどが捕捉されて除去され、この水が前記コントロールバルブ１７を介して前記処理水ライン６へ流出する。前記処理水ライン６へ流出した処理水は、前記水使用部２へ流入する。
【００２３】
前記濾過システム１の運転時には、前記水質検出手段１９によって被処理水の濁度または色度を検出し、その検出値は、前記信号線２０を介して前記制御手段２１へ入力される。前記制御手段２１は、前記水質検出手段１９の検出値が、所定濁度ＴＬ（下限値）〜ＴＨ（上限値）または所定色度ＣＬ（下限値）〜ＣＨ（上限値）の範囲であるときには、循環流量が前記所定流量ＦＢとなるように前記被処理水供給ポンプ７の回転数を制御する。
【００２４】
そして、たとえば前記水使用部２がプールや浴場である場合、この水使用部２を利用する人数が増えるとこの水使用部２の水，すなわち循環水に含まれるゴミなどの量が増える。前記制御手段２１は、前記水質検出手段１９の検出値が、前記所定濁度ＴＨまたは前記所定色度ＣＨを超えたとき、前記被処理水供給ポンプ７の回転数を上げて、循環流量を前記所定流量ＦＢから所定流量ＦＨへ増加させる。そして、前記水質検出手段１９の検出値が、前記所定濁度ＴＨまたは前記所定色度ＣＨ以下へ戻ったとき、前記制御手段２１は、前記被処理水供給ポンプ７の回転数を元へ戻し、循環流量を前記所定流量ＦＨから前記所定流量ＦＢへ戻す。
【００２５】
一方、前記水使用部２を利用する人数が少ないなど、前記水使用部２の水，すなわち循環水に含まれるゴミなどの量が少なく、前記水質検出手段１９の検出値が、前記所定濁度ＴＬまたは前記所定色度ＣＬ未満となったとき、前記制御手段２１は前記被処理水供給ポンプ７の回転数を下げて、循環流量を前記所定流量ＦＢから所定流量ＦＬへ減少させる。このときの循環流量ＦＬは、前記水使用部２の水質を所定範囲に維持することができる流量とする。そして、前記水質検出手段１９の検出値が、前記所定濁度ＴＬまたは前記所定色度ＣＬ以上へ戻ったとき、前記制御手段２１は、前記被処理水供給ポンプ７の回転数を元へ戻し、循環流量を前記所定流量ＦＬから前記所定流量ＦＢへ戻す。
【００２６】
以上のように、前記濾過システム１では、前記水質検出手段１９によって被処理水の濁度または色度を検出し、前記所定流量ＦＬから前記所定流量ＦＨの範囲で、濁度または色度が高くなるほど段階的に循環流量を増加させ、また低くなるほど所定の循環水の水質を維持することができる範囲で段階的に循環流量を減少させる。
【００２７】
前記濾過システム１によれば、前記水質検出手段１９の検出値に基づいて、循環流量を増加させることにより、単位時間あたりに循環水が前記濾過手段４を通過する回数が増加する。これにより、ゴミなどの不純物の除去量が増加し、短時間で循環水の水質を回復させることができ、水質の維持を図ることができる。一方で、前記水質検出手段１９の検出値に基づいて、所定の循環水の水質を維持することができる範囲で循環流量を減少させることにより、前記被処理水供給ポンプ７において無駄な電力を消費することはない。これにより、循環水の水質を維持しつつ、運転コストを下げることができる。
【００２８】
以上、この発明の実施の形態について説明したが、この発明は、前記実施の形態に限られるものでないことはもちろんである。たとえば、前記所定濁度ＴＨよりも大きい所定濁度ＴＨＨまたは前記所定色度ＣＨよりも大きい所定色度ＣＨＨを超えたときに、循環流量を前記所定流量ＦＨからさらに増加させてもよく、また前記所定濁度ＴＬよりも小さい所定濁度ＴＬＬまたは前記所定色度ＣＬよりも小さい所定色度ＣＬＬを下回ったときに、循環流量を前記所定流量ＦＬからさらに減少させてもよい。
【００２９】
また、前記水質検出手段１９は、前記被処理水ライン５と接続されているが、前記処理水ライン６または前記水使用部２と接続されていてもよく、前記制御手段２１は、処理水または前記水使用部２の濁度または色度に基づいて、前記被処理水供給ポンプ７を制御して、循環流量を増減させてもよい。すなわち、この発明は、循環水の濁度または色度に基づいて、循環流量を増減させるようになっていればよい。
【図面の簡単な説明】
【００３０】
【図１】この発明を実施するための濾過システムの構成の一例を示す概略的な説明図である。
【符号の説明】
【００３１】
１  濾過システム
２  水使用部
３  循環ライン
４  濾過手段
【図１】
2007313469.tif 000003